(57)【要約】      （修正有）【課題】櫛状に配置された保持部材に測定対象物を載置し、測定子により狭持して所定箇所間の長さを測定する装置において、保持部材の間隔の調節を簡易に行えるようにする長さ測定装置を提供する。【解決手段】所定の平面上に載置される測定対象物を狭持する、相対的な互いの距離を変更可能に設けられる２つの測定子１１、１２と、前記測定子間の距離を取得し表示する測定結果表示手段１５とを有する長さ測定装置において、前記平面よりも下方に設けられる、長手方向が前記測定子の移動方向に一致する真っ直ぐな棒体からなる支持棒４２と、長手方向が前記支持棒の長手方向に対して略直角な、前記測定子の移動範囲外における前記平面上に存する細長い上面を有する２以上の対象物保持部材２０、３０とを設け、少なくとも１の前記対象物保持部材に前記支持棒の断面形状に略合致する孔を形成し、当該孔により前記支持棒に摺動可能に保持固定する。【選択図】図１
0003163298.tif 000002
【実用新案登録請求の範囲】
【請求項１】
所定の平面上に載置される測定対象物を狭持する、相対的な互いの距離を変更可能に設けられる２つの測定子と、
前記測定子間の距離を取得し表示する測定結果表示手段と、
前記平面よりも下方に設けられる、長手方向が前記測定子の移動方向に一致する真っ直ぐな棒体からなる支持棒と、
長手方向が前記支持棒の長手方向に対して略直角な、前記測定子の移動範囲外における前記平面上に存する細長い上面を有する２以上の対象物保持部材とを有し、
少なくとも１の前記対象物保持部材は、前記支持棒の略断面形状に合致する孔を有し、当該孔により前記支持棒に摺動可能に保持固定されるものである
長さ測定装置。
【請求項２】
前記支持棒に摺動可能に保持固定される対象物保持部材を、前記支持棒に対する２以上の摺動位置において固定し、また、当該固定の解除を行う保持部材固定手段を有するものである請求項１に記載の長さ測定装置。
【請求項３】
前記対象物保持部材間において、前記支持棒回りに回動可能に保持される、前記測定子の移動範囲内における前記平面上に存しうる上面を有する１以上の第二対象物保持部材を有し、
当該第二対象物保持部材は、前記支持棒回りの所定の回動位置に位置づけた場合に、前記測定子の少なくとも一方の移動を妨げないものである
請求項１又は２に記載の長さ測定装置。
【考案の詳細な説明】
【技術分野】
【０００１】
本考案は、板、筐体などの長さを測定する装置に関する。
【背景技術】
【０００２】
長方形状の板体などの各辺の長さや、対角の長さを計測する装置として、図３に示すような装置が存在する。この装置は、台上に載置した測定対象物を、測定子B1、B2で挟むことで、測定子B1、B2間の距離が電子的に自動計測され、デジタル表示機Cに表示されるようになっている。
この装置は、人が測定対象物を測定場所に載置するものであり、また、大きな測定対象物も測定できるように、測定対象物を載置する台座の一方側が櫛状に配置された複数の保持部材Ａにより形成されている。
このような構造により、大きな測定対象物であっても、保持部材の間に人が入ることができるので、測定対象物の測定箇所が測定子B1、B2の間に位置するように人の手で測定対象物を位置づけることができる。
【０００３】
ところで、測定対象物の大きさは一定ではないので、安定して測定対象物を載置するには、大きな測定対象物の場合は保持部材Ａ同士の間隔を広げ、小さな測定対象物の場合は、保持部材Ａ同士の間隔を狭くする必要がある。このため、上記の装置では、図４の保持部材Ａ部分の側面図に示すように、保持部材Ａを基端側で断面Ｔ字状の長尺部材Ｓに引っかけて、ボルトＮで板体Ｐとともに下方から長尺部材Ｓを狭持することで、保持部材Ａを固定し、また、取り外せる構造を有している。このような構造により、必要に応じて保持部材Ａを固定するボルトＮを緩めて、保持部材Ａを取り外し、所望の位置に付け替えて、再びボルトを締めて保持部材Ａを固定することで、保持部材Ａ間の間隔を変えることができる。
【考案の概要】
【考案が解決しようとする課題】
【０００４】
しかし、このような構造では、保持部材の移動に手間が係るので、多種類の測定対象物がある場合には、保持部材間の調整に時間がかかり作業効率が悪くなるという問題がある。
本考案は、このような問題に鑑みて、櫛状に配置された保持部材に測定対象物を載置し、測定子により狭持して所定箇所間の長さを測定する装置において、保持部材の間隔の調節を簡易に行えるようにすることを課題とする。
【課題を解決するための手段】
【０００５】
上記課題を解決するために、本考案は次のような構成を有する。
請求項１に記載の考案は、所定の平面上に載置される測定対象物を狭持する、相対的な互いの距離を変更可能に設けられる２つの測定子と、前記測定子間の距離を取得し表示する測定結果表示手段と、前記平面よりも下方に設けられる、長手方向が前記測定子の移動方向に一致する真っ直ぐな棒体からなる支持棒と、長手方向が前記支持棒の長手方向に対して略直角な、前記測定子の移動範囲外における前記平面上に存する細長い上面を有する２以上の対象物保持部材とを有する長さ測定装置であり、少なくとも１の前記対象物保持部材は、前記支持棒の断面形状に略合致する孔を有し、当該孔により前記支持棒に摺動可能に保持固定されるものである。
【０００６】
請求項２に記載の考案は、前記長さ測定装置において、前記支持棒に摺動可能に保持固定される対象物保持部材を、前記支持棒に対する２以上の摺動位置において固定し、また、当該固定の解除を行う保持部材固定手段を有するものである。
請求項３に記載の考案は、前記長さ測定装置において、前記対象物保持部材間において、前記支持棒回りに回動可能に保持される、前記測定子の移動範囲内における前記平面上に存しうる上面を有する１以上の第二対象物保持部材を有し、当該第二対象物保持部材は、前記支持棒回りの所定の回動位置に位置づけた場合に、前記測定子の少なくとも一方の移動を妨げないものである。
【考案の効果】
【０００７】
請求項１に記載の考案は、細長い載置面を有する対象物保持部材が、支持棒に沿って摺動可能に固定されるので支持棒に沿って移動させるだけで対象物保持部材間の間隔を調節できるので、対象物保持部材の位置決め作業を簡易かつ効率的に行うことができる。
請求項２に記載の考案は、移動する対象物保持部材を移動させた位置で固定できるようにすることで、測定対象物の載置面を安定させることができる。
請求項３に記載の考案は、第二対象物保持部材を設けることで、測定子間に第二対象物保持部材を位置づけることができ、より測定対象物を安定して載置できるともに、細長い測定対象物も測定でき、第二対象物保持部材を回動させて少なくとも一方の測定子を移動可能にできるので、測定対象物の大きさに応じて、第二対象物保持部材を越えて測定子を移動させることができ、また、第二対象物保持部材が装置から分離しないので、第二保持部材の紛失を防止することができる。
【図面の簡単な説明】
【０００８】
【図１】実施形態に係る長さ測定装置を示す斜視図である。
【図２】（ａ）は、図１におけるＡ−Ａ断面図であり、（ｂ）は図１におけるＢ−Ｂ断面図である。
【図３】従来の長さ測定装置を示す斜視図である。
【図４】従来の長さ測定装置の保持部材部分の側面図である。
【考案を実施するための形態】
【０００９】
以下、本考案の実施の形態について、図面を参照しながら説明する。
図１に本実施形態に係る長さ測定装置Ｘの斜視図を示す。長さ測定装置Ｘは、測定ユニット１０、第一対象物保持部材２０、第二対象物保持部材３０、支持部４０、基礎フレーム５０、定盤６０を有する。図２に第一対象物保持部材２０の側面を示す図１のＡ−Ａ断面図を示し、図３に第二対象物保持部材３０の側面を示す図１のＢ−Ｂ断面図を示す。
【００１０】
基礎フレーム５０は直方体状に角パイプを組んで溶接されることで形成される。この基礎フレーム５０に他の構成部分が直接的又は間接的に支持固定される。
支持部４０は、基礎フレーム５０の長辺側の上面やや下方に固定される細長い板体である支持板４１を有する。支持板４１は、基礎フレーム５０の上面と主表面がほぼ平行になるように受け具４３により、基礎フレーム５０の長辺両端側の縦部材に支持固定される。支持板４１の、基礎フレーム５０から離れた側の縁部近傍には、ほぼ全長に渡るスリット４１ａが設けられている。また、支持板４１の上面には支持棒４２が固定されている。支持棒４２は、支持板４１とほぼ同じ長さを有する丸パイプからなる。支持棒４１は、支持板４１のほぼ中央位置に、基礎フレーム５０の長辺と平行になるように、両端を支持ブロック４2ａにより保持固定されている。
【００１１】
測定ユニット１０は、支持板５０の基礎フレーム５０よりに設けられるリニアモーターによりレールに沿って移動体を駆動させる直動案内ユニット１３、支持板５０の一端側に固定される第一測定子１１、直動案内ユニット１３の移動部に固定される第二測定子１２、直動案内ユニット１３の移動部に固定される検知ヘッドの位置を電磁誘導により検知するリニアスケール１４、リニアスケール１４の検知結果から算出される第一測定子１１、第二測定子１２間の距離を表示するディスプレイ１５、前記直動案内ユニット１３を駆動するモーターの制御、第一測定子１１、第二測定子１２間の距離の計算などを行う図示されない制御装置から構成される。第一測定子１１、第二測定子１２は、板体が断面Ｌ字状に交わった形状を有するものであり、角部を構成する辺が鉛直方向を向き、鉛直軸に対してベアリングを用いて回動自在に固定されている。これにより、平面視長方形体のものを測定する場合に柔軟に対応でき、辺の長さを測定する場合は、辺の両端に位置する各角をそれぞれ第一測定子１１、第二測定子１２が形成する角に合致するように狭持することで、当該辺の長さが自動的に測定でき、また、対角間の距離を測定する場合は、両対角のそれぞれを第一測定子１１、第二測定子１２が形成する角に合致するように狭持することで、当該対角間の長さが自動的に測定できる。
【００１２】
第一対象物保持部材２０は、上面が細長い長方形状の平面を形成する上部板２１と、上部板２１の下面を支持する受け部材２２とから構成される。受け部材２２の下面基端側は上部板２１を水平に保持するように前記支持板４１上面に接触する。また、受け部材２２の基端側近傍には、前記支持棒４２が係合する丸孔２２ａが設けられている。第一対象物保持部材２０先端側が基礎フレーム５０と逆側を向くように、支持棒４２にこの丸孔２２ａを係合することで、第一対対象物保持部材２０の上面は長手方向が支持棒４２の長手方向に対して直角方向を向き、また、支持棒４２に沿って摺動可能に固定される。さらに、受け部材２２下面の前記支持板４１のスリット４１ａに対向する位置には、ネジ穴２２ｂが形成されており、このネジ穴２２ｂに、支持板４１の下面側からこのスリット４１ａを挟んで持ち手が設けられたボルトからなる固定レバー２３が固定されている。この固定レバー２３を回して固定レバー２３のボルトを締めると、受け部材２２は支持板４１に固定されることになり、第一対象物保持部材２０を支持棒４２に対する任意の摺動位置で固定できることとなる。また、固定レバー２３を逆に回して固定レバー２３のボルトを緩めると受け部材２２の支持板４１に対する固定は解除されるので、第一対象物保持部材２０を支持棒４２に対して自由に摺動させることができる。即ち固定レバー２３は、スリット４１ａ、ネジ穴２２ｂと合間って保持部材固定手段を構成する。それから、第一対象物保持部材２０の上部板２１上面には、ナイロンシート２１ａが貼られており、測定対象が傷つきにくく、また、上部板２１上で移動させやすくなっている。第一対象物保持部材２０は、ここでは、支持棒４２に沿って５つ設けられる。
【００１３】
第二対象物保持部材３０は、上面が細長い、長方形状の平面を形成する上部板３１、上部板３１の下面の一方の端部に設けられる支持ブロック３２、上部板３１の下面の他方の端部に設けられる脚３３とから構成される。脚３３は上部板３１が水平になった状態で、下端が測定ユニット１０の溝１２の底面に接触して、上部板３１を水平に保つような長さに設定される。支持ブロック３２には、前記支持棒４２が係合する丸孔３２ａが設けられている。脚３３が設けられている側が基礎フレーム５０側を向くように、支持棒４２にこの丸孔３２ａを係合することで、第二対対象物保持部材３０の上面は長手方向が支持棒４２の長手方向に対して直角方向を向き、第二対対象物保持部材３０は、支持棒４２に沿って回動可能かつ摺動可能に固定される。また、第二対象物保持部材３０の上部板３１上面には、ナイロンシート２１ａが貼られており、測定対象が傷つきにくく、また、上部板２１上で移動させやすくなっている。なお、第一対象物保持部材２０と第二対象物保持部材３０のそれぞれの上面は水平となった状態で同一平面に存するように設定される。第二対象物保持部材３０は、ここでは、支持棒４２に沿って第一対象物保持部材２０の間に４つ設けられる。
定盤６０は基礎フレーム５０の上面を覆う長方形上の板体であり、上面は水平となった状態の第一対象物保持部材２０と第二対象物保持部材３０のそれぞれの上面と同一平面上に存する。
【００１４】
次に、以上のような構造を有する長さ測定装置Ｘの使用方法について説明する。使用者は、まず、測定対象物の大きさに応じて、第一測定子１１、第二測定子１２間の距離がやや測定対象物よりも大きくなるように、目分量で第二測定子１２を移動させる。この際、第二対象物保持部材３０は回動させて先端側が上方を向くようにし、第二測定子１２の移動を妨げないようにしておく。次に、第一測定子１１、第二測定子１２間の幅で、測定対象物を適切に保持できるように、第一対象物保持部材２０及び第二対象物保持部材３０の間隔を調節する。第二対象物保持部材３０は、支持棒４２の長手方向に関しては自由に動けるので、そのまま移動させることができる。第一対象物保持部材２０は、固定レバー２３により固定されているので、移動させる第一対象物保持部材２０の固定レバー２３を緩めてから、第一対象物保持部材２０を移動させ、位置が決まったところで固定レバー２３を締めて固定する。その後、測定対象物を第一対象物保持部材２０、第二対象物保持部材３０、定盤６０に載置し、測定箇所が第一測定子１１、第二測定子１２に挟まるように調整してから、第二測定子１２を移動させて、第一測定子１１、第二測定子１２により測定箇所を狭持する。これにより、ディスプレイ１５に測定結果が表示され、測定が完了する。
本実施形態に係る長さ測定装置Ｘでは、第一対象物保持部材２０が固定レバー２３を緩めるだけで簡単に移動可能であるので、測定前の準備作業を効率的に行うことができる。また、第二対象物保持部材３０は、従来の第二対象物保持部材３０のように完全に装置から分離するものではなく、支持棒４２に回動可能かつ摺動可能に保持されているので、第二対象物保持部材３０が紛失する事態を防ぐことができる。
【符号の説明】
【００１５】
Ｘ  長さ測定装置
１０  測定ユニット
１１  第一測定子
１２  第二測定子
１３  直動案内ユニット
１４  リニアスケール
１５  ディスプレイ
２０  第一対象物保持部材
２２ａ  丸穴
２３  固定レバー
３０  第二対象物保持部材
３２ａ  丸穴
４０  支持部
４１  支持板
４１ａ  スリット
４２  支持棒
５０  基礎フレーム
６０  定盤
【図１】
0003163298.tif 000003
【図２】
0003163298.tif 000004
【図３】
0003163298.tif 000005
【図４】
0003163298.tif 000006